(57)【特許請求の範囲】
【請求項１】
折畳自在なシート材により、底壁と、該底壁の周縁から筒状に起立し且つ上部に枯葉等の腐敗用原料を投入せしめる開口部を有する周壁と、前記開口部を開閉自在に施蓋する蓋壁とを構成して成る携帯自在なバッグであって、
前記底壁と該底壁から所定高さＨにわたる周壁の下側環状壁部とにより、バッグに装填された腐敗用原料を盤状又は柱状に固結せしめる安定部成形室を形成すると共に、該安定部成形室の上方に延びる周壁の上側環状壁部により腐敗用原料を貯蔵する堆肥生成室を形成して成り、
前記上側環状壁部に堆肥取出口を開設し、該堆肥取出口の上方に位置して上側環状壁部に固着されたフラップシートを堆肥取出口の外側に沿って開閉自在に垂設すると共に、該フラップシートを堆肥取出口の周縁に着脱自在に固着する固着手段を設けて成ることを特徴とする堆肥生成用携帯バッグ。
【請求項２】
折畳自在なシート材が防水シートから成り、バッグの底壁に水抜き孔を開設すると共に、上側環状壁部の堆肥取出口に対向する部位に通気孔を開設して成ることを特徴とする請求項１に記載の堆肥生成用携帯バッグ。
【請求項３】
フラップシートの固着手段が、堆肥取出口の両側縁と下縁に沿って取付けられたテープ状の面ファスナーと、フラップシートの両側縁と下縁に沿って取付けられたテープ状の面ファスナーとから成る面ファスナー手段により構成されて成ることを特徴とする請求項１又は２に記載の堆肥生成用携帯バッグ。
【発明の詳細な説明】
【０００１】
【発明の属する技術分野】
本発明は、山林をハイキング又はトレッキングしながら枯葉等の腐敗用原料を収集し、或いは、住宅の庭等において落葉や雑草を収集した後、所定時間を経過せしめることにより堆肥を生成できるようにした堆肥生成用携帯バッグを提供するものである。
【０００２】
【従来の技術】
従来、家庭において廃棄される生ゴミにより堆肥を生成する装置が提案されているが、高価なばかりか、携帯することができない。即ち、このような装置は、生ゴミの処理を目的としたものであるため、例えば、枯葉等により堆肥を生成するためには、掻き集めた枯葉等をポリ袋等の袋に入れて運搬し、袋から装置へ移しかえなければならない。
【０００３】
【発明が解決しようとする課題】
そこで、本発明者は、折畳自在なシート材により形成された携帯バッグを堆肥生成手段として利用すれば、山林をハイキング又はトレッキングしながら枯葉等の腐敗用原料を収集したり、或いは、住宅の庭等において落葉や雑草を収集した後、これらの腐敗用原料をバッグに装填したままの状態で所定時間を経過せしめることにより堆肥が生成されるので、極めて実用的であることを知見した。
【０００４】
然しながら、従来公知の汎用の携帯バッグを前記目的に兼用する場合は、バッグのシート材が早期に劣化して繰返し利用できない問題があるばかりか、それ以上に、枯葉等から堆肥を好適に生成するに際しては、種々の条件を満たさなければならず、通常の汎用バッグでは不適切であるという問題がある。
【０００５】
【課題を解決するための手段】
このため、本発明は、上記課題を解決した堆肥生成用携帯バッグを提供するものであり、その手段として構成したところは、折畳自在なシート材により、底壁と、該底壁の周縁から筒状に起立し且つ上部に枯葉等の腐敗用原料を投入せしめる開口部を有する周壁と、前記開口部を開閉自在に施蓋する蓋壁とを構成して成る携帯自在なバッグであって、前記底壁と該底壁から所定高さＨにわたる周壁の下側環状壁部とにより、バッグに装填された腐敗用原料を盤状又は柱状に固結せしめる安定部成形室を形成すると共に、該安定部成形室の上方に延びる周壁の上側環状壁部により腐敗用原料を貯蔵する堆肥生成室を形成して成り、前記上側環状壁部に堆肥取出口を開設し、該堆肥取出口の上方に位置して上側環状壁部に固着されたフラップシートを堆肥取出口の外側に沿って開閉自在に垂設すると共に、該フラップシートを堆肥取出口の周縁に着脱自在に固着する固着手段を設けて成る点にある。
【０００６】
好ましくは、折畳自在なシート材は、防水シートから成り、バッグの底壁に水抜き孔を開設すると共に、上側環状壁部の堆肥取出口に対向する部位に通気孔を開設している。また、フラップシートの固着手段は、堆肥取出口の両側縁と下縁に沿って取付けられたテープ状の面ファスナーと、フラップシートの両側縁と下縁に沿って取付けられたテープ状の面ファスナーとから成る面ファスナー手段により構成されている。
【０００７】
【発明の実施の形態】
以下図面に基づいて本発明の好ましい実施形態を詳述する。
【０００８】
（第一実施形態）
図１及び図２は、本発明の第一実施形態を示しており、堆肥生成用携帯バッグ１（以下単にバッグ１という）は、折畳自在なシート材により、底壁２と、該底壁２の周縁から筒状に起立する周壁３と、該周壁３の上部に形成された枯葉等の腐敗用原料を投入せしめるための開口部４を開閉自在に施蓋する蓋壁５とを構成している。従って、バッグ１は、任意に折畳むことが可能である。
【０００９】
バッグ１を構成する折畳自在なシート材は、防水シートから成り、例えば、延伸フィルム等の強靱な合成樹脂フィルムを素材とする極細幅テープを縦横に平織等により編織して形成された合成樹脂編織シートの表裏両面に、合成樹脂フィルムをサンドイッチ状にラミネートしたラミネートシートを用いることができ、このような柔軟で折畳自在な防水シートを裁断し、縫製することによりバッグ１が形成されており、第一実施形態の場合、縦長の円柱状形態とされたバッグ１が提供される。
【００１０】
蓋壁５は、周壁３の開口縁に対して、ヒンジ部６を介して連結されており、該ヒンジ部６を除く蓋壁５の周縁と、周壁３の開口縁の相互には、ジッパー式のファスナー７ａ、７ｂが縫着されている。従って、図示省略したジッパーの摘み片を開口縁に沿って移動せしめることにより、ファスナー７ａ、７ｂを着脱せしめることが可能であり、図例のように蓋壁５を開放した状態で、開口部４からバッグ内に枯葉等の腐敗用原料を投入した後、開口部４を閉じた蓋壁５をヒンジ部６とファスナー７ａ、７ｂにより全周にわたり周壁３の開口縁に固着することができる。
【００１１】
バッグ１の内部空間は、底壁２と該底壁２から所定高さＨにわたる周壁３の下側環状壁部３ａとにより形成された安定部成形室８と、該安定部成形室８の上方に延び開口部４に至る周壁３の上側環状壁部３ｂにより形成された堆肥生成室９とが構成されている。図例の場合、安定部成形室８は、盤状に形成されているが、縦長の柱状に形成しても良い。
【００１２】
図示実施例において、開口部４に近傍する周壁３の上部領域には、径方向に対向配置された一対の把手片１０、１０が設けられている。該把手片１０は、例えば、織布製のストラップ材を周壁３に縫着することにより構成される。
【００１３】
前記把手片１０の下側に近傍する周壁３の上部領域と、前記安定部成形室８と堆肥生成室９の境界部分に近傍する周壁３の下部領域には、それぞれ、バッグ１を構成する防水シートと同材のシートから成る帯状片１１ａ、１１ｂが縫着されている。これらの帯状片１１ａ、１１ｂは、周壁３の周方向に配設され、各帯状片の両側縁を周壁３に逢着することにより、該帯状片１１ａ、１１ｂと周壁３の間にベルト挿通路１２ａ、１２ｂを形成し、各帯状片の両端に開口されたベルト挿通路１２ａ、１２ｂの開口端１３ａ、１３ｂを周壁３上で対向配置している。従って、図示鎖線で示すように、ショルダーストラップ１４を上下のベルト挿通路１２ａ、１２ｂに挿通すると共に上下方向に連結すれば、背負うことにより携帯自在なバッグ１が提供される。
【００１４】
周壁３のうち、堆肥生成室９を構成する上側環状壁部３ｂには、堆肥取出口１５が開設されている。堆肥取出口１５は、安定部成形室８に至らないことが必要であるが、可及的に安定部成形室８に近づくように上側環状壁部３ｂの下側領域に形成されることが好ましく、該堆肥取出口１５を開閉せしめるフラップシート１６が設けられている。
【００１５】
フラップシート１６は、垂下された下端から上方にめくり上げるようにして堆肥取出口１５を開放するように構成されていることが肝要であり、このため、フラップシート１６の上縁に形成されたヒンジ部１７を堆肥取出口１５の上方に位置して上側環状壁部３ｂに固着している。フラップシート１６は、バッグ１を構成する防水シートと同材のシートから成り、上縁を上側環状壁部３ｂに縫着することにより前記ヒンジ部１７を形成し、該ヒンジ部１７から堆肥取出口１５の外側に沿って開閉自在に垂設され、該フラップシート１６を堆肥取出口１５の周縁に着脱自在に固着する固着手段を設けている。
【００１６】
前記固着手段は、堆肥取出口１５の両側縁と下縁に沿って縫着されたテープ状の面ファスナー１７ａと、フラップシート１６の両側縁と下縁に沿って縫着されたテープ状の面ファスナー１７ｂとから成る面ファスナー手段により構成することが好ましく、これにより、図例のようにヒンジ部１７から延びるフラップシート１６の全体を分離せしめた堆肥取出口１５の全面開放状態の他、フラップシート１６の下端近傍部のみを分離し、上方領域の面ファスナー手段を係着状態とすることにより、堆肥取出口１５の半開き状態が可能になる。
【００１７】
図２に示すように、底壁２には複数の水抜き孔１８が開設されており、図例のように、鳩目１９により補強されている。また、周壁３における上側環状壁部３ｂの堆肥取出口１５に対向する部位には、複数の通気孔２０が開設されている。図例の場合、上側環状壁部３ｂの外側に、バッグ１を構成する防水シートと同材のシートから成るシート片２１が縫着され、該シート片２１と上側環状壁部３ｂを貫通して通気孔２０が穿設され、鳩目２２により補強されている。
【００１８】
そこで、このような構成のバッグ１によれば、バッグ全体が折畳自在であるから携帯便利であり、枯葉その他の腐敗用原料を収集するに際しては、ユーザが展開したバッグ１をショルダーストラップ１４を介して背負うことにより森林等を散策しながら腐敗用原料を開口部４からバッグ１に投入すれば良い。
【００１９】
フラップシート１６により堆肥取出口１５を閉塞した状態で腐敗用原料を開口部４から投入し、バッグ１の内部に腐敗用原料が充填されると、開口部４を蓋壁５により施蓋し、帰宅後、そのままバッグ１を庭先その他の場所に保管し、所定時間が経過するのを待てば良い。この際、腐敗用原料に含まれる必要以上の水分は、底壁２の水抜き孔１８から排出される。
【００２０】
バッグ１に腐敗用原料を充填する際、開口部４から内部に向けて圧力を与えてやると、少なくとも底壁２上の安定部成形室８において腐敗用原料が固結され、腐敗用原料が盤状又は柱状に成形されると共に、安定部成形室８を盤状又は柱状に保形する。このため、バッグ１は、盤状又は柱状に保形された底部領域により地面又は床面に安定的に起立載置せしめることが可能であり、しかも、安定部成形室８の内部で盤状又は柱状に固結された腐敗用原料が錘として機能し、バッグの設置安定化に貢献する。
【００２１】
ところで、所定時間が経過すると、バッグ内部の腐敗用原料が次第に腐敗して堆肥を生成する。この間、ユーザは、フラップシート１６を開閉することにより内部の堆肥生成状態を観察することができる。上述のように、面ファスナー手段１７ａ、１７ｂによりフラップシート１６を必要量だけめくり上げることができるので、開閉時に内部の腐敗用原料が堆肥取出口１５から外部に流出することを防止しながら観察が可能である。
【００２２】
通常、水分の流下により、腐敗用原料は、下側において先に腐敗を開始し、次第に上側へと移行する。従って、ユーザが堆肥取出口１５から観察することにより堆肥が生成されたと判断したときには、その下側に位置する安定部成形室８の内部で固結された腐敗用原料は、それ以上に堆肥として熟成している。
【００２３】
そこで、生成した堆肥を取出すに際しては、フラップシート１６を必要量開放し、堆肥取出口１５から堆肥を排出せしめれば良い。フラップシート１６は、下側からめくり上げるようにして開くので、堆肥取出口１５の近傍に位置する堆肥をスコップ等で崩壊してやるだけで、フラップシート１６を汚すことなく好適に堆肥が排出される。そして、安定部成形室８の内部で熟成した堆肥は、堆肥取出口１５よりも下方に位置しているので、自然に排出されることはなく、故意によっても排出困難である。
【００２４】
このように堆肥生成室９の内部における堆肥を下側から順に堆肥取出口１５より排出せしめる構成であるから、下側の堆肥を排出した結果、下方に移動して来た上側の腐敗用原料が堆肥を生成しているかどうかを堆肥取出口１５から観察することができる。そして、それが未だ充分に腐敗していない場合は、フラップシート１６により堆肥取出口１５を閉じ、更なる時間経過を待てば良い。この際、下方の安定部成形室８には熟成した堆肥が保存状態で残存せしめられており、腐敗菌を種として保有しているから、上側から移動して来た未腐敗の原料を受け止めて接触し、その早期腐敗による堆肥生成のために貢献する。
【００２５】
（第二実施形態）
図３は、本発明の第二実施形態を示しており、バッグ１は、比較的背の低い形態に形成されており、ショルダーストラップ１４を周壁３に縫着している。その他の基本的構成は上記第一実施形態と同様であるから、同一構成部分は同一符号で示している。
【図面の簡単な説明】
【図１】本発明の第一実施形態を示しており、（Ａ）は正面側から見た斜視図、（Ｂ）は背面側から見た斜視図である。
【図２】本発明の第一実施形態の要部を示す拡大縦断面図である。
【図３】本発明の第二実施形態を示しており、（Ａ）は正面側から見た斜視図、（Ｂ）は背面側から見た斜視図である。
【符号の説明】
１    堆肥生成用携帯バッグ
２    底壁
３    周壁
３ａ  上側環状壁部
３ｂ  下側環状壁部
４    開口部
５    蓋壁
８    安定部成形室
９    堆肥生成室
１５    堆肥取出口
１６    フラップシート
１７ａ  １７ｂ  面ファスナー
１８    水抜き孔
２０    通気孔
【図１】
0004333974.tif 000002
【図２】
0004333974.tif 000003
【図３】
0004333974.tif 000004